(57)【要約】  【課題】設定されている発光モードと異なる発光モードによる照明光を用いて撮影する。  【解決手段】カメラは発光モードブラケティングがONに設定された状態で撮影が指示されると、閃光装置４の発光モード（実行発光モード）を撮影ごとに異ならせて複数コマの撮影を行う。実行発光モードの組合わせは、設定されている発光モードに対応してあらかじめ決定され、システム制御部１内のメモリに記憶されている。発光モードが「オートモード」に設定され、「オートモード」についての発光モードブラケティングがONされ、被写体輝度に基づいて閃光装置４の発光不要が判定される場合は、１コマ目で閃光装置４を発光禁止にして撮影を行った後で２コマ目以降の撮影を省略する。  【選択図】図１
2006189583.tif 000002
【特許請求の範囲】
【請求項１】
撮影指示に応じて被写体を複数回にわたり一連に撮影する撮影制御手段と、
被写体を照明する照明装置に対し、前記撮影時の発光を指示する発光指示手段と、
前記一連の撮影において撮影ごとに前記照明装置の発光動作モードを異ならせる発光動作モード制御手段とを備えることを特徴とするカメラ。
【請求項２】
請求項１に記載のカメラにおいて、
前記発光動作モード制御手段は、前記撮影ごとに前記照明装置の発光態様を変更させることを特徴とするカメラ。
【請求項３】
請求項１または２に記載のカメラにおいて、
前記発光動作モード制御手段は、前記一連の撮影において前記照明装置の発光を禁じた撮影を含めることを特徴とするカメラ。
【請求項４】
請求項１〜３のいずれか一項に記載のカメラにおいて、
前記発光動作モードは、被写体輝度に基づいて前記照明装置の発光要否が決定されるオートモードを含み、
前記撮影制御手段は、前記オートモードにおける前記一連の撮影において前記照明装置の発光不要が決定された場合、前記照明装置の発光を禁じた撮影後に前記一連の撮影を終了させることを特徴とするカメラ。
【請求項５】
請求項１〜４のいずれか一項に記載のカメラにおいて、
前記撮影制御手段は、前記一連の撮影において前コマ撮影時の制御露出値との差が所定値以内の制御露出値が得られた場合、当該コマの撮影を省略することを特徴とするカメラ。
【発明の詳細な説明】
【技術分野】
【０００１】
本発明は、閃光装置を用いて撮影可能なカメラに関する。
【背景技術】
【０００２】
調光ブラケティング撮影を行うカメラが知られている（特許文献１参照）。調光ブラケティングは、撮影時に被写体を照明する閃光装置の発光量を変化させ、それぞれ異なる発光量で複数コマの撮影を行うものである。
【０００３】
【特許文献１】特開平８−２９８２８号公報
【発明の開示】
【発明が解決しようとする課題】
【０００４】
特許文献１に記載のように発光量を変化させる方法では、設定されている発光モード（たとえば、強制発光）において照明効果を微調整することはできても、設定内容と異なる発光モード（たとえば、スローシンクロなど）に対応させて照明効果を調整することができなかった。
【課題を解決するための手段】
【０００５】
本発明によるカメラは、撮影指示に応じて被写体を複数回にわたり一連に撮影する撮影制御手段と、被写体を照明する照明装置に対し、撮影時の発光を指示する発光指示手段と、一連の撮影において撮影ごとに照明装置の発光動作モードを異ならせる発光動作モード制御手段とを備えることを特徴とする。
請求項１に記載のカメラにおいて、撮影ごとに照明装置の発光態様を変更させるように発光動作モード制御手段を構成してもよい。
請求項１または２に記載のカメラにおいて、一連の撮影において照明装置の発光を禁じた撮影を含めるように発光動作モード制御手段を構成してもよい。
請求項１〜３のいずれか一項に記載のカメラにおいて、発光動作モードに被写体輝度に基づいて照明装置の発光要否が決定されるオートモードを含めてもよく、この場合の撮影制御手段は、オートモードにおける一連の撮影において照明装置の発光不要が決定された場合、照明装置の発光を禁じた撮影後に一連の撮影を終了させることもできる。
請求項１〜４のいずれか一項に記載のカメラにおいて、一連の撮影において前コマ撮影時の制御露出値との差が所定値以内の制御露出値が得られた場合、当該コマの撮影を省略するように撮影制御手段を構成してもよい。
【発明の効果】
【０００６】
本発明によるカメラでは、一連の撮影において撮影ごとに照明装置の発光動作モードを異ならせるようにしたので、撮影のたびに発光モードの変更操作を行わなくても、設定されている発光モードと異なる発光モードによる照明光を用いて撮影できる。
【発明を実施するための最良の形態】
【０００７】
以下、図面を参照して本発明を実施するための最良の形態について説明する。
（第一の実施形態）
図１は、本発明の第一の実施形態によるカメラの要部構成を説明する図である。図１において、システム制御部１はマイクロコンピュータによって構成される。システム制御部１は、カメラに備えられている操作部材やセンサなどから入力される情報に基づいて所定の演算を行い、カメラ全体の動作を制御する。
【０００８】
システム制御部１はカメラの露光制御も行う。具体的には、測光部２で検出される被写体輝度を用いて周知の露出演算を行うことにより、露出制御値を決定する。不図示のレリーズボタンの押下によって撮影開始が指示されると、絞り制御機構（不図示）に絞り８を制御絞り値まで絞りを絞り込ませた上で、シャッター制御機構（不図示）にシャッター９を制御シャッター速度で駆動させてフィルムや撮像素子などの感光部材（不図示）を露光させる。
【０００９】
測光部２は被写体輝度を検出し、検出信号をシステム制御部１へ送出する。調光部３は閃光装置４から発せられた照明光が被写体で反射される反射光量を検出し、検出信号をシステム制御部１へ送出する。閃光装置４は、システム制御部１からの発光指令に応じて被写体を照明する照明光を発する。
【００１０】
発光モード設定部５は、後述する操作部材を含み、操作部材からの操作信号に応じて閃光装置４に対する発光モードの設定を行う。発光モードの設定内容は、システム制御部１の指令によって表示部７に表示される。閃光装置４の発光モードには、「オートモード」、「強制発光モード」、「発光禁止モード」、「スローシンクロモード」などが含まれる。「オートモード」は、主要被写体の輝度に応じて発光要否を決定し、発光要が決定された場合において撮影時に閃光装置４を発光させるモードである。「強制発光モード」は、主要被写体の輝度にかかわらず撮影時に閃光装置４を発光させるモードである。「発光禁止モード」は、主要被写体の輝度にかかわらず閃光装置４の発光を禁止するモードである。「スローシンクロモード」は、背景で適正露出が得られるように低速のシャッター速度を設定するとともに、撮影時に閃光装置４を発光させるモードである。
【００１１】
図２は、発光モード設定部５の操作部材を例示する図である。発光モード設定部５は発光モードスイッチ５１が押下された状態でコマンドダイヤル５４が回転操作されると、回転操作に応じてサイクリックに設定発光モードの切替えを行い、発光モードスイッチ５１の押下が解除された時点で設定されている発光モードを示す信号をシステム制御部１へ送出する。システム制御部１は、設定発光モードを示すデータを内部メモリに保存する。図３は、表示部７に点灯表示された設定発光モードを表す表示例を示す図である。図３において、上から順に「オートモード」、「強制発光モード」、「発光禁止モード」、「スローシンクロモード」に対応するマーク（または文字）がそれぞれ点灯表示されている。これらの設定発光モードは、システム制御部１内の発光モードカウンタの値０、１、２、３にそれぞれ対応する。さらに、「オートモード」、「強制発光モード」、および「スローシンクロモード」には、それぞれ赤目軽減モードが併設され、各モードに対応するマーク（または文字）がそれぞれ点灯表示されている。各赤目軽減モードは、発光モードカウンタの値４、５、６にそれぞれ対応する。
【００１２】
発光モードブラケティング設定部６は、発光モードブラケティングの設定を行う。発光モードブラケティングは、設定されている発光モードおよび設定されている発光モードと異なる発光モード（発光禁止も含む）においてそれぞれ撮影を行うものである。発光モードブラケティング設定部６の操作部材は、発光モード設定部５の操作部材が共用される。本実施形態のカメラは、設定発光モードが「オートモード」、「強制発光モード」、および「スローシンクロモード」のいずれかに設定されている場合、発光モードブラケティングの設定が可能に構成される。発光モードブラケティング設定部６は、ＳＥＴスイッチ５２（図２）が押下された状態でコマンドダイヤル５４が回転操作されると、回転操作に応じてサイクリックに発光モードブラケティング設定および組合わせ選択を行い、ＳＥＴスイッチ５２の押下が解除された時点の設定および組合わせ内容を示す信号をシステム制御部１へ送出する。システム制御部１は、発光モードブラケティングの設定および組合わせ内容を示すデータを内部メモリに保存する。
【００１３】
システム制御部１は、発光モードブラケティング設定および組合わせ内容を表示部７に表示させる。図４および図５は、表示部７に表示された発光モードブラケティング設定および組合わせを表す表示例を示す図である。図４は、「強制発光モード」についての発光モードブラケティング設定およびその組合わせを示す図である。図４において、左から順にブラケティングOFF、ブラケティングON（組合わせは強制発光と発光禁止）、ブラケティングON（組合わせは強制発光とスローシンクロ発光）、およびブラケティングON（組合わせは強制発光と発光禁止とスローシンクロ発光）に対応する。
【００１４】
図５は、「オートモード」についての発光モードブラケティング設定およびその組合わせを示す図である。図５において、左から順にブラケティングOFF、ブラケティングON（組合わせはオート発光と発光禁止）、ブラケティングON（組合わせはオート発光とスローシンクロ発光）、およびブラケティングON（組合わせはオート発光と発光禁止とスローシンクロ発光）に対応する。
【００１５】
発光モードブラケティング設定部６は、ＯＦＦスイッチ５３（図２）が押下されると、発光モードブラケティング設定を解除し、設定解除信号をシステム制御部１へ送出する。図４および図５において、それぞれ左端の表示が発光モードブラケティング解除（＝ブラケティングOFF）に対応する。
【００１６】
以上説明したカメラのシステム制御部１で行われるカメラ処理の流れについて、図６のフローチャートを参照して説明する。図６によるメイン処理は、カメラに電池が装填されている状態でレリーズボタン（不図示）が半押し操作されると起動する。図６のステップＳ１０１において、システム制御部１は、測光部２に被写体輝度の検出を指示するとともに、測光を行ってステップＳ１０１Ａへ進む。
【００１７】
ステップＳ１０１Ａにおいて、システム制御部１は、初回またはレリーズ後か否かを判定する。システム制御部１は、当該処理が初回、またはレリーズ後フラグがセットされている場合（レリーズ後）には、それぞれステップＳ１０１Ａを肯定判定してステップＳ１０３へ進み、初回以外、またはレリーズ後フラグがセットされていない場合には、それぞれステップＳ１０１Ａを否定判定してステップＳ１０２へ進む。
【００１８】
ステップＳ１０２において、システム制御部１は、実行発光モード切替処理を行ってステップＳ１０３へ進む。実行発光モード切替処理の詳細については後述する。ステップＳ１０３において、システム制御部１は、露出演算処理を行って制御露出値を算出し、ステップＳ１０４へ進む。露出演算処理については後述する。
【００１９】
ステップＳ１０４において、システム制御部１は、レリーズボタン（不図示）が全押し操作されたか否かを判定する。システム制御部１は、レリーズボタンが全押し操作された場合にステップＳ１０４を肯定判定してステップＳ１０５へ進み、全押し操作されない場合にはステップＳ１０４を否定判定し、ステップＳ１０４Ａへ進む。
【００２０】
ステップＳ１０４Ａにおいて、システム制御部１は、レリーズ後フラグをクリアしてステップＳ１０７へ進む。ステップＳ１０７において、システム制御部１は、タイマー切れか否かを判定する。システム制御部１は、レリーズボタン（不図示）およびカメラの操作部材による操作が所定時間行われなかった場合（タイマー切れ）にステップＳ１０７を肯定して図６による処理を終了する。一方、レリーズボタン（不図示）が半押し操作中であったり、カメラの操作部材が操作中である場合、もしくは操作終了から所定時間が経過していない場合にはステップＳ１０７を否定判定し、ステップＳ１０１へ戻る。
【００２１】
ステップＳ１０５において、システム制御部１は、決定されている制御露出値に基づいて露光制御を行い、ステップＳ１０６へ進む。これにより、１コマの撮影が行われる。なお、撮影時には後述する実行発光モードに応じて閃光装置４に対して発光を指示する。ステップＳ１０６において、システム制御部１は、レリーズ後フラグをセットしてステップＳ１０７へ進む。
【００２２】
実行発光モード切替処理の詳細について、図７に示すフローチャートを参照して説明する。図７のステップＳ２０１において、システム制御部１は、オートモード時発光判定を行ってステップＳ２０２へ進む。オートモード時発光判定は、発光モードが「オートモード」に設定されている場合の閃光装置４の発光要否を、ステップＳ１０１で検出された被写体輝度に応じて判定するものである。
【００２３】
ステップＳ２０２において、システム制御部１はブラケティング中か否かを判定する。システム制御部１は、発光モードブラケティングを実行中の場合にステップＳ２０２を肯定判定してステップＳ２０３Ａへ進み、発光ブラケティングを実行中でない場合にはステップＳ２０２を否定判定し、ステップＳ２０７へ進む。
【００２４】
ステップＳ２０３Ａにおいて、システム制御部１は、設定発光モードが「オートモード」、ブラケティングカウンタの値が初期値、および発光なし（ステップＳ２０１のオートモード時発光判定において発光不要が判定されている）の全てに該当する場合にステップＳ２０３Ａを肯定判定してステップＳ２１１へ進む。システム制御部１は、１つでも該当しない場合にはステップＳ２０３Ａを否定判定し、ステップＳ２０３へ進む。
【００２５】
ステップＳ２０３において、システム制御部１は実行発光モードの切替を開始してステップＳ２０４へ進む。実行発光モードは、実際の撮影時に閃光装置４が作動する発光モードであり、発光モードブラケティングがONの場合には撮影ごとに異なる発光モード（発光禁止も含む）に切り替えられる。発光モードブラケティングがOFFの場合は、実行発光モードは設定されている発光モードと同一にされる。
【００２６】
実行発光モードの決定は、図８に示すブラケティングテーブルによって行われる。図８において、設定発光モードごとにブラケティングカウンタおよびパターンカウンタの値が定められている。ブラケティングカウンタは、発光モードブラケティングがONの状態で撮影される一連の撮影コマ数を表し、「３」の場合は３コマ、「１」の場合は１コマに対応する。パターンカウンタは、発光モードブラケティングがONの場合に切替えられる実行発光モードの切替えパターンを表す。初期値は、発光モードブラケティングONの状態で１コマ目の撮影において決定される実行発光モードを表す。
【００２７】
ステップＳ２０４において、システム制御部１は、ブラケティングカウンタの値から１を減じてステップＳ２０５へ進む。これにより、図８のテーブルにおいて実行発光モードが１つ右の内容に切替わる。
【００２８】
ステップＳ２０５において、システム制御部１は、ブラケティングカウンタ＝０か否かを判定する。システム制御部１は、ブラケティングカウンタ＝０の場合にステップＳ２０５を肯定判定してステップＳ２０６へ進み、ブラケティングカウンタ≠０の場合にはステップＳ２０５を否定判定し、図７による処理を終了して図６のステップＳ１０３へ進む。
【００２９】
ステップＳ２０６において、システム制御部１は、ブラケティングカウンタの値を初期値にリセットして図７による処理を終了し、図６のステップＳ１０３へ進む。
【００３０】
ステップＳ２０７において、システム制御部１は、発光モードが「オートモード」に設定されているか否かを判定する。システム制御部１は、「オートモード」に設定されている場合にステップＳ２０７を肯定判定してステップＳ２０９へ進み、「オートモード」に設定されていない場合にはステップＳ２０７を否定判定し、ステップＳ２０８へ進む。ステップＳ２０８において、システム制御部１は、設定されている発光モードを実行発光モードに決定し、図７による処理を終了して図６のステップＳ１０３へ進む。
【００３１】
ステップＳ２０９において、システム制御部１は、発光ありか否かを判定する。システム制御部１は、ステップＳ２０１のオートモード時発光判定において発光要が判定されている場合、ステップ２０９を肯定判定してステップＳ２１０へ進み、発光不要が判定されている場合にはステップＳ２０９を否定判定し、ステップＳ２１１へ進む。
【００３２】
ステップＳ２１０において、システム制御部１は、実行発光モードを「強制発光モード」に決定し、図７による処理を終了して図６のステップＳ１０３へ進む。ステップＳ２１１において、システム制御部１は、実行発光モードを「発光禁止モード」に決定し、図７による処理を終了して図６のステップＳ１０３へ進む。
【００３３】
露出値算出処理の詳細について、図９に示すフローチャートを参照して説明する。図９のステップＳ３０１において、システム制御部１は、決定されている実行発光モードが「発光禁止モード」の場合にステップＳ３０２へ進み、「強制発光モード」の場合にはステップＳ３０３へ進み、「スローシンクロモード」の場合にはステップＳ３０４へ進む。ステップＳ３０２において、システム制御部１は、ステップＳ１０１で検出された被写体輝度に基づいて所定の露出演算を行い、制御露出値を決定する。制御露出値は、たとえば、あらかじめ用意されている閃光装置非使用時のプログラム線図に基づいて決定される。システム制御部１は、制御露出値を決定すると図９による処理を終了して図６のステップＳ１０４へ進む。
【００３４】
ステップＳ３０３において、システム制御部１は、ステップＳ１０１で検出された被写体輝度に基づいて所定の露出演算を行い、閃光装置を用いた通常撮影用の制御露出値を決定する。制御露出値は、たとえば、あらかじめ用意されている閃光装置使用時のプログラム線図（不図示）に基づいて決定される。システム制御部１は、制御露出値を決定すると図９による処理を終了して図６のステップＳ１０４へ進む。
【００３５】
ステップＳ３０４において、システム制御部１は、ステップＳ１０１で検出された被写体輝度に基づいて所定の露出演算を行い、スローシンクロ撮影用の制御露出値を決定する。制御露出値は、たとえば、あらかじめ用意されている閃光装置使用時のプログラム線図（不図示）に基づいて決定される。この場合には、ステップＳ３０３に比べて低速側のシャッター速度（たとえば１／６０秒以下）が有効にされる。システム制御部１は、制御露出値を決定すると図９による処理を終了して図６のステップＳ１０４へ進む。
【００３６】
図１０は、以上説明したカメラで発光モードブラケティング撮影する場合の実行発光モードの切替順序の例を説明する図である。システム制御部１は、１コマ撮影するごとに実行発光モードを示す表示を表示部７に表示させる。図１０は、「強制発光モード」についてのブラケティングがONされ、組合わせが強制発光、発光禁止、およびスローシンクロ発光の場合（図４において右端に対応する）を示す。図１０において、１コマ目の実行発光モードが「強制発光モード」に決定され、強制発光を示すマーク１１１が表示部７に点滅表示される。２コマ目の実行発光モードは「発光禁止モード」に決定され、発光禁止を示すマーク１１２が表示部７に点滅表示される。３コマ目の実行発光モードは「スローシンクロモード」に決定され、スローシンクロ発光を示すマーク１１３が表示部７に点滅表示される。
【００３７】
図１１は、「強制発光モード」についてのブラケティングがONされ、組合わせが強制発光および発光禁止の場合（図４において左から２番目に対応する）を示す。図１１において、１コマ目の実行発光モードが「強制発光モード」に決定され、強制発光を示すマーク１１１が表示部７に表示される。２コマ目の実行発光モードは「発光禁止モード」に決定され、発光禁止を示すマーク１１２が表示部７に点滅表示される。
【００３８】
図１２は、「オートモード」についてのブラケティングがONされ、組合わせがオート発光、発光禁止、およびスローシンクロ発光の場合（図５において右端に対応する）を示す。図１２において、１コマ目の実行発光モードが「オートモード」に決定され、オート発光を示すマーク１３１が表示部７に点滅表示される。２コマ目の実行発光モードは「発光禁止モード」に決定され、発光禁止を示すマーク１１２が表示部７に点滅表示される。３コマ目の実行発光モードは「スローシンクロモード」に決定され、スローシンクロ発光を示すマーク１１３が表示部７に点滅表示される。
【００３９】
図１３は、「オートモード」についてのブラケティングがONされ、組合わせがオート発光および発光禁止の場合（図５において左から２番目に対応する）を示す。図１３において、１コマ目の実行発光モードが「オートモード」に決定され、オート発光を示すマーク１３１が表示部７に点滅表示される。２コマ目の実行発光モードは「発光禁止モード」に決定され、発光禁止を示すマーク１１２が表示部７に点滅表示される。
【００４０】
なお、上述したように、被写体輝度に基づいて閃光装置４の発光不要が判定される場合には、１コマ目に閃光装置４を発光させない撮影を行った後で２コマ目以降の撮影を省略するようにブラケティングカウンタの値がリセットされるので、図１４に示すように、１コマ目の実行発光モードが「オートモード」に決定され、オート発光を示すマーク１３１が表示部７に点滅表示されるのみで実行発光モードの切替が終了する。
【００４１】
以上説明した第一の実施形態によれば、次の作用効果が得られる。
（１）カメラは発光モードブラケティングがONに設定された状態で撮影が指示されると、閃光装置４の発光モード（実行発光モード）を撮影ごとに異ならせて複数コマの撮影を行う。実行発光モードの組合わせは、設定されている発光モードに対応してあらかじめ決定され、組合わせデータがシステム制御部１内のメモリ（不図示）に記憶されている。撮影者は、撮影のたびに発光モードの変更操作を行わなくても、現在設定されている発光モード（たとえば、「強制発光モード」）と異なる発光モード（たとえば、「スローシンクロモード」）による照明光を用いて撮影することができる。
【００４２】
（２）発光モードの設定は発光モード５から入力される操作信号に応じてサイクリックに行い、発光モードブラケティング撮影で実行される発光モードの組合わせは、発光モードブラケティング設定部６から入力される操作信号に応じてサイクリックに選択するようにした。したがって、撮影者は簡単な操作で発光モードブラケティングの設定および実行発光モードの組合わせを選択できる。
【００４３】
（３）「オートモード」についての発光モードブラケティングがONされ、被写体輝度に基づいて閃光装置４の発光不要が判定される場合は、１コマ目で閃光装置４を発光禁止にして撮影を行った後で発光モードブラケティング撮影における２コマ目以降の撮影を省略するようにブラケティングカウンタの値をリセットした。これにより、閃光装置４の発光不要が判定されているにもかかわらず、閃光装置４を発光させる無駄な撮影を行うことが防止される。
【００４４】
（第二の実施形態）
発光モードブラケティングによる２コマ目以降の撮影を行う際に、前コマの撮影と同様の制御露出値が得られる場合にも、当該コマの撮影をパス（省略）してもよい。第二の実施形態によるカメラの実行発光モード切替処理の詳細について、図１５に示すフローチャートを参照して説明する。図１５のフローチャートは、図７のフローチャートに代えて実行される。図１５において、ステップＳ２０２およびステップＳ２０３間にステップＳ２０２ＥおよびステップＳ２０２Ａ〜ステップＳ２０２Ｄが挿入される点、およびリターン（終了）前にステップＳ２２０が追加される点が図７と異なるので、これらの相違点を中心に説明する。
【００４５】
図１５のステップＳ２０２Ｅにおいて、システム制御部１は、設定発光モードが「オートモード」、ブラケティングカウンタの値が初期値、および発光なし（ステップＳ２０１のオートモード時発光判定において発光不要が判定されている）の全てに該当する場合にステップＳ２０２Ｅを肯定判定してステップＳ２１１へ進む。システム制御部１は、１つでも該当しない場合にはステップＳ２０２Ｅを否定判定し、ステップＳ２０２Ａへ進む。
【００４６】
ステップＳ２０２Ａにおいて、システム制御部１は、ステップＳ１０１で検出された被写体輝度（測光値）と、前コマ（前回）の撮影時に得られた被写体輝度（測光値）との差が小であるか否かを判定する。システム制御部１は、両被写体輝度（測光値）の差が所定値以下の場合にステップＳ２０２Ａを肯定判定してステップＳ２０２Ｂへ進み、両被写体輝度（測光値）の差が所定値を超える場合にはステップＳ２０２Ａを否定判定し、ステップＳ２０３へ進む。
【００４７】
ステップＳ２０２Ｂにおいて、システム制御部１は、ブラケティングカウンタの値から１を減じてステップＳ２０２Ｃへ進む。これにより、図８のテーブルにおいて実行発光モードが１つ右の内容に切替わる。
【００４８】
ステップＳ２０２Ｃにおいて、システム制御部１は、ブラケティングカウンタ＝０か否かを判定する。システム制御部１は、ブラケティングカウンタ＝０の場合にステップＳ２０２Ｃを肯定判定してステップＳ２０２Ｄへ進み、ブラケティングカウンタ≠０の場合にはステップＳ２０２Ｃを否定判定し、ステップＳ２０３へ進む。
【００４９】
ステップＳ２０２Ｄにおいて、システム制御部１は、ブラケティングカウンタの値を初期値にリセットしてステップＳ２０３へ進む。
【００５０】
ステップＳ２０５を否定判定した場合、およびステップＳ２０６、ステップＳ２０８、ステップＳ２１０、ステップＳ２１１の次に進むステップＳ２２０において、システム制御部１は、ステップＳ１０１で検出された被写体輝度（測光値）を前コマ（前回）の被写体輝度（測光値）としてメモリに保存して図１５による処理を終了し、図６のステップＳ１０３へ進む。メモリに保存した被写体輝度（測光値）は、発光モードブラケティングによる次コマの撮影を行う際に、ステップＳ２０２Ａにおいて使用される。
【００５１】
以上説明した第二の実施形態によれば、発光モードブラケティングによる２コマ目以降の撮影を行う際に、前コマの撮影時の制御露出値との差が所定値以下と見込まれる場合には当該コマの撮影をパス（省略）するようにしたので、照明効果に差が生じないような無駄な撮影を行うことが防止される。
【００５２】
なお、撮影をパス（省略）する際に、省略する発光モードを示すマークを所定時間（たとえば、３秒間）表示部７に点滅表示させてから次の実行発光モードを示すマークを表示部７に点滅表示させると、点滅マークに対応する発光モードの撮影がパスされることが撮影者に報知されて都合がよい。
【００５３】
前コマの撮影と同様の制御露出値が得られる例としては、たとえば、被写体輝度が高い状態において実行発光モードが「スローシンクロモード」および「強制発光モード」間で生じやすい。このような例を判定するには、上述した被写体輝度差で判定するものの他に、制御露出値として決定される絞り値の差、シャッター速度の差、閃光装置を発光開始させるタイミングの差に応じて判定してもよい。
【００５４】
上述した説明では、発光モードとして「オートモード」、「強制発光モード」、「発光禁止モード」、「スローシンクロモード」を例にあげたが、この他にも「ＦＰ発光モード」、「後幕シンクロモード」などを設けてもよい。
【００５５】
また、閃光装置４の発光体がＬＥＤなどで構成される場合には、閃光光でなく連続光を発する「連続光モード」を設けるようにしてもよい。
【００５６】
閃光装置４の動作状態を変える例として発光モードを異ならせる場合を説明したが、調光部３による反射光量の検出パターンを異ならせることにより、閃光装置４の発光パターンを変化させてもよい。たとえば、撮影画面の全域で均一に反射光量を検出するパターンと、撮影画面を複数の領域に分割し、各分割領域に対応する反射光量を検出するパターンとを切替える。システム制御部１は、それぞれの検出信号に応じて閃光装置４の発光パターンを決定する。
【００５７】
発光モードブラケティング撮影する場合の実行発光モードの切替順序は、図８に開示したブラケティングテーブルの順番に限らなくてもよく、たとえば、閃光装置４の充電状態に応じて変更させてもよい。たとえば、スローシンクロ発光→強制発光→発光禁止とする順番を、スローシンクロ発光→発光禁止→強制発光と変更してもよい。
【００５８】
以上の説明では、閃光装置４がカメラに内蔵される例を説明したが、カメラのアクセサリシューなどに外付けされるタイプの閃光装置を使用する場合にも本発明を適用できる。
【００５９】
特許請求の範囲における各構成要素と、発明を実施するための最良の形態における各構成要素との対応について説明する。撮影制御手段、発光指示手段、および発光動作モード制御手段は、たとえば、システム制御部１によって構成される。照明装置は、たとえば、閃光装置４によって構成される。一連の撮影は、たとえば、発光モードブラケティング撮影が対応する。発光動作モードは、たとえば、実行発光モードが対応する。発光態様は、たとえば、強制発光、スローシンクロ発光が対応する。なお、以上の説明はあくまで一例であり、発明を解釈する上で、上記の実施形態の構成要素と本発明の構成要素との対応関係に何ら限定されるものではない。
【図面の簡単な説明】
【００６０】
【図１】本発明の第一の実施形態によるカメラの要部構成を説明する図である。
【図２】発光モード設定部の操作部材を例示する図である。
【図３】設定発光モードを表す表示例を示す図である。
【図４】発光モードブラケティング設定および組合わせを表す表示例を示す図である。
【図５】発光モードブラケティング設定および組合わせを表す表示例を示す図である。
【図６】システム制御部で行われるカメラ処理の流れについて説明するフローチャートである。
【図７】実行発光モード切替処理の詳細について説明するフローチャートである。
【図８】ブラケティングテーブルを例示する図である。
【図９】露出値算出処理の詳細について説明するフローチャートである。
【図１０】実行発光モードの切替順序の例を説明する図である。
【図１１】実行発光モードの切替順序の例を説明する図である。
【図１２】実行発光モードの切替順序の例を説明する図である。
【図１３】実行発光モードの切替順序の例を説明する図である。
【図１４】実行発光モードの切替順序の例を説明する図である。
【図１５】第二の実施形態による実行発光モード切替処理の詳細について説明するフローチャートである。
【符号の説明】
【００６１】
１…システム制御部
２…測光部
３…調光部
４…閃光装置
５…発光モード設定部
６…発光モードブラケティング設定部
７…表示部
８…絞り
９…シャッター
１１１…強制発光を示すマーク
１１２…発光禁止を示すマーク
１１３…スローシンクロ発光を示すマーク
１３１…オート発光を示すマーク
【図１】
2006189583.tif 000003
【図２】
2006189583.tif 000004
【図３】
2006189583.tif 000005
【図４】
2006189583.tif 000006
【図５】
2006189583.tif 000007
【図６】
2006189583.tif 000008
【図７】
2006189583.tif 000009
【図８】
2006189583.tif 000010
【図９】
2006189583.tif 000011
【図１０】
2006189583.tif 000012
【図１１】
2006189583.tif 000013
【図１２】
2006189583.tif 000014
【図１３】
2006189583.tif 000015
【図１４】
2006189583.tif 000016
【図１５】
2006189583.tif 000017